(57)【要約】【課題】起動する機能を表面に表示したカードを携帯にかざして、カード内のＩＣチップに付与されたユニークなＩＤを読み取った携帯電話が、あらかじめ登録された対応する機能を自動的に起動することで、視覚障害者、高齢者などキーでの細かい操作に制約のあるユーザが、簡単に携帯電話を操作できる携帯電話制御システムおよび携帯電話の制御方法を提供する。【解決手段】起動する機能を表面に表示したカードにユニークなＩＤが付与されたＩＣチップを内蔵し、ＩＤを携帯電話機で読み取り、あらかじめ登録されたＩＤに対応する機能を起動する。【選択図】図１
2010057053.tif 000002
【特許請求の範囲】
【請求項１】
起動する機能を表面に表示したカードにユニークなＩＤが付与されたＩＣチップを内蔵し、
前記ＩＤを携帯電話機で読み取り、あらかじめ登録された前記ＩＤに対応する機能を起動することを特徴とする携帯電話制御システム。
【請求項２】
前記携帯電話機は、前記ＩＤと対応して起動する機能を用いて、あらかじめ登録可能なＧＵＩを有することを特徴とする請求項１に記載の携帯電話制御システム。
【請求項３】
前記携帯電話機は、直前に起動した機能に関して登録を行うことを特徴とする請求項２に記載の携帯電話制御システム。
【請求項４】
起動する機能を表す表面への表示には、点字、絵、および、文字を含むことを特徴とする請求項３に記載の携帯電話制御システム。
【請求項５】
携帯電話機内に登録を行う機能を選択可能なことを特徴とする請求項４に記載の携帯電話制御システム。
【請求項６】
起動する機能を表面に表示したカードにユニークなＩＤが付与されたＩＣチップを内蔵し、
前記ＩＤを携帯電話機で読み取り、あらかじめ登録された前記ＩＤに対応する機能を起動することを特徴とする携帯電話の制御方法。
【請求項７】
前記携帯電話機は、前記ＩＤと対応して起動する機能を用いて、あらかじめ登録可能なＧＵＩを有することを特徴とする請求項６に記載の携帯電話の制御方法。
【請求項８】
前記携帯電話機は、直前に起動した機能に関して登録を行うことを特徴とする請求項７に記載の携帯電話の制御方法。
【請求項９】
起動する機能を表す表面への表示には、点字、絵、および、文字を含むことを特徴とする請求項８に記載の携帯電話の制御方法。
【請求項１０】
携帯電話機内に登録を行う機能を選択可能なことを特徴とする請求項９に記載の携帯電話の制御方法。
【発明の詳細な説明】
【技術分野】
【０００１】
本発明は、ユニークなＩＤを付与したＩＣチップを内蔵した携帯電話制御システムおよび携帯電話の制御方法に関する。
【背景技術】
【０００２】
従来の携帯電話では、アプリケーションなどの機能の起動は、ＧＵＩで表現されたメニューをキー操作することなどで実現されていた。
【０００３】
しかし、携帯電話のキーは物理的に小さく、操作に慣れていないユーザや、高齢で細かい操作が難しいユーザにとっては操作が難しいという問題があった。
【０００４】
また、視覚障害者にとっては、画面が見えないという制約の中で、キーが小さく点字を記載するスペースも限られ、キーのみで操作するのが難しいという問題があった。
【０００５】
専用キーの押下や、特定のキーの長押しすることで、対応する機能を起動する方法もあるが、携帯電話ではスペースの関係で配置できるキーの個数には限界があるため、起動できる機能数も少数となってしまう。また、前述の小さいキーで細かい操作を行うという操作性の点では解決にはならない。
【０００６】
キー以外の方法で機能を起動する方法としては、携帯電話のカメラ機能で、起動する機能の情報が記録されたバーコード（２次元バーコード）を撮影し、その画像を画像認識して対応する機能を起動する方法がある。
【０００７】
また、上記に関連する技術を次に開示する。
【０００８】
特許文献１に記載の通信端末装置は、無線タグの情報と前記相手先情報との対応関係を相手先情報記憶部により記憶管理し、携帯電話機に無線タグを埋め込んだカードをかざすことにより該無線タグの情報を受信し、該受信した無線タグの情報に基づき相手先情報記憶部から該無線タグの情報に対応する相手先情報を取得し、該取得した相手先情報に基づき自動発呼して相手先と通信確立を行うことが記載されている。これによって、個人情報の漏洩の虞がなく、かつ簡単な操作で相手先と通信を行うことができるようにする。
【０００９】
特許文献２に記載の携帯通信端末は、ＩＣカード部は、非接触ＩＣカードリーダライタとの間で搬送波を用いてデータの送受信を行う。制御部は、ＩＣカード部１が非接触ＩＣカードリーダライタからの搬送波を受信した場合、予め設定した特定のアプリケーションを起動することが記載されている。これによって、非接触ＩＣカードを用いるタイミングで任意のアプリケーションを起動することができ、利便性を向上させ得る。
【特許文献１】特開２００７−２０８９１６号公報
【特許文献２】特開２００７−３２８６２４号公報
【発明の開示】
【発明が解決しようとする課題】
【００１０】
しかし、携帯電話のカメラ機能で、起動する機能の情報が記録されたバーコード（２次元バーコード）を撮影し、その画像を画像認識して対応する機能を起動する従来の方法では、目的とする機能の起動のためにカメラ機能を起動する必要があり、また、バーコードを画像認識できる画質で撮影する必要あり、高齢者や視覚障害者にとっては操作が難しいという問題があった。
【００１１】
上述した特許文献１に記載の発明は、無線タグの情報に基づいて、相手先情報を取得することで、個人情報漏洩を防止する課題を解決するものであり、高齢者や視覚障害者の操作性向上という課題を解決することには至らない。
【００１２】
また、上述した特許文献２は、非接触ＩＣカード携帯端末に搭載し、非接触ＩＣカードをユーザが携帯端末にかざすことでアプリケーションを起動させ、利便性を向上させることが記載されているが、表面に点字、絵、文字などで分りやすく起動する機能を表示したカードを携帯にかざし、その際に、カード内のＩＣチップに付与されたユニークなＩＤを読み取ること、これによって、高齢者や視覚障害者のような人にとっても簡単に携帯電話を操作できることに関して示唆されていない。
【００１３】
そこで、本発明の目的は、起動する機能を表面に表示したカードを携帯にかざして、カード内のＩＣチップに付与されたユニークなＩＤを読み取った携帯電話が、あらかじめ登録された対応する機能を自動的に起動する携帯電話制御システムおよび携帯電話の制御方法を提供することである。
【課題を解決するための手段】
【００１４】
上記の目的を達成するため、本発明にかかる第１の携帯電話制御システムは、起動する機能を表面に表示したカードにユニークなＩＤが付与されたＩＣチップを内蔵し、前記ＩＤを携帯電話機で読み取り、あらかじめ登録された前記ＩＤに対応する機能を起動することを特徴とする。
【００１５】
本発明にかかる第１の携帯電話の制御方法は、起動する機能を表面に表示したカードにユニークなＩＤが付与されたＩＣチップを内蔵し、前記ＩＤを携帯電話機で読み取り、あらかじめ登録された前記ＩＤに対応する機能を起動することを特徴とする。
【発明の効果】
【００１６】
本発明によれば、起動する機能を点字、絵、文字などで分りやすく表面に表示したカードを携帯にかざして、カード内のＩＣチップに付与されたユニークなＩＤを読み取った携帯電話が、あらかじめ登録された対応する機能を自動的に起動することにより、視覚障害者、高齢者などキーでの細かい操作に制約のあるユーザが、簡単に携帯電話を操作できる携帯電話制御システムおよび携帯電話の制御方法の提供を可能とする。
【発明を実施するための最良の形態】
【００１７】
従来の携帯電話では、アプリケーションなどの機能の起動は、ＧＵＩで表現されたメニューをキー操作することなどで実現されていた。しかし、携帯電話のキーは物理的に小さく、操作に慣れていないユーザや、高齢で細かい操作が難しいユーザにとっては操作が難しいという問題があった。また、視覚障害者にとっては、画面が見えないという制約の中で、キーが小さく点字を記載するスペースも限られ、キーのみで操作するのが難しいという問題があった。
【００１８】
本発明は、起動する機能を点字、絵、文字などで分りやすく表面に表示したカードに、ユニークなＩＤが付与されたＩＣチップを内蔵し、携帯電話のＩＤ読み取り部でそのＩＤを読み取り、対応する機能を起動することにより、キー操作なしで簡単に携帯電話の機能を起動できる仕組みを提供する。
【００１９】
上記本発明を実施する実施の形態について以下、説明していく。
以下に記載する実施の形態は、本発明が有する上記課題を解決するにあたって好適もしくは最良な構成および処理である。しかし、これに限定されることはなく、この構成および処理は、当業者が容易に想到できる範囲内において修正、変更可能とする。
【００２０】
（第１の実施形態）
最初に、実施形態の一態様として携帯電話制御システムの構成、その構成を用いて行う動作について図１を用いて説明する。
図１は、実施形態の一態様として携帯電話制御システムの構成に一例を示す。
【００２１】
図１において、本実施形態にかかる携帯電話制御システムは、機能起動用カード１と携帯電話２から構成される。
【００２２】
機能起動用カード１の表面には、点字、絵、文字などで起動する機能が分りやすく表現され、カードの内部にはユニークなＩＤが付与されたＩＣチップ１１が内蔵されている。
【００２３】
携帯電話２は、機能起動用カード内のＩＣチップに付与されたＩＤを、無線を利用して非接触で読み出すためのＩＤ読み取り部２１と、携帯電話の動作を制御するための制御部２２と、携帯電話を構成する電話、メールなどの各種機能２４と、機能起動用カード内のユニークなＩＤとそれに対応して起動する機能を記憶する起動機能記憶部２３と、起動機能記憶部２３に機能起動用カードのＩＤと対応して起動する機能を登録するためのＧＵＩなどを提供する起動機能登録部２５で構成される。
【００２４】
携帯電話２は、メーカー出荷時・購入時の窓口での設定、ユーザ操作などにより起動動作設定モードが選ばれると、制御部２２はＩＤ読み取り部２１よりＩＣチップのＩＤ読み取りを開始する。
【００２５】
ＩＤ読み取り部２１は、機能起動用カード１のＩＣチップ１１からＩＤを読み出すと、制御部２２にＩＤを通知する。
【００２６】
制御部２２は、起動機能登録部２５により、ＧＵＩ等を用いてユニークなＩＤに対応して起動する機能の設定を受け付ける。
【００２７】
その後、制御部２２は、ＩＤと起動機能登録部２５より受け付けた起動する機能を紐付けて起動機能記憶部２３に登録する。
【００２８】
このようにして起動したい機能を登録した機能起動用カード１を、必要な機能の数だけ準備する。
【００２９】
通常動作時は、制御部２２は、ＩＤ読み取り部２１をＩＣチップの情報を読み取り可能な状態とする。
【００３０】
ユーザが、起動したい機能に対応した機能起動用カード１を携帯電話２のＩＤ読み取り部２１に近づけると、ＩＤ読み取り部２１はＩＣチップ１１よりＩＤを読み出し制御部２２に通知する。
【００３１】
制御部２２は、起動機能記憶部２３より、通知されたＩＤに対応して起動する機能を検索し、検索結果にもとづき各種機能２４を起動する。
【００３２】
以上より、表面に表示された点字、絵、文字などで判断して、起動したい機能に対応した機能起動用カードを選び出し、それを携帯電話のＩＤ読み取り部に近づけることにより、キー操作等の処理を行わないで携帯電話の機能を起動することが可能となる。
【００３３】
図１から３を用いて本実施形態にかかる処理について詳細に説明する。
図２は、ユニークなＩＤの登録時の動作を示すフローチャート図である。
図３は、起動時の動作を示すフローチャート図である。
【００３４】
図２を用いて説明する。始めに、メーカー出荷時・購入時の窓口での設定、またはユーザ操作などで機能起動用カード１内のＩＣチップに付与されたユニークなＩＤと、対応して起動する機能を携帯電話２に登録する。
【００３５】
ユーザは、起動機能設定モードを選択する（ステップ１０１）。ステップ１０１の処理で、ユーザによって起動機能設定モードが選ばれると、携帯電話機２における制御部２２は、ＩＤ読み取り部２１よりＩＣチップのＩＤ読み取りを開始する（ステップ１０２）。
【００３６】
携帯電話２のＩＤ読み取り部２１にＩＣチップがかざされないと次の処理に進まず（ステップ１０３／ＮＯ）、ステップ１０２の処理の状態を保ち、ステップ１０２の処理の読み取り待ち状態において、ユーザが機能起動用カード１を携帯電話２のＩＤ読み取り部２１にかざすと（ステップ１０３／ＹＥＳ）、ＩＤ読み取り部２１は、ＩＣチップ１１に付与されたユニークなＩＤを読み出し、制御部２２に通知する（ステップ１０３）。
【００３７】
ＩＤの通知を受けた制御部２２は、起動機能登録部２５により、ＧＵＩなどを用いてＩＤに対応して起動する機能の設定を受け付ける、制御部２２に通知する（ステップ１０４）。その後、制御部２２は、ＩＤと対応して起動する機能を紐付けて起動機能記憶部２３に登録する（ステップ１０５）。
【００３８】
次に、本実施形態にかかる携帯電話システムにおける携帯通常時の動作について図３を用いて説明する。
【００３９】
携帯電話２において、制御部２２はＩＤ読み取り部２１をＩＣチップに付与されたＩＤの読み取り待ち状態とする（ステップ２０１）。ユーザが、起動したい機能に対応した機能起動用カード１を携帯電話２のＩＤ読み取り部２１に近づけると、ＩＤ読み取り部２１はＩＣチップ１１よりユニークなＩＤを読み出し制御部２２に通知する（ステップ２０２）。
【００４０】
制御部２２は、通知されたＩＤに対応して起動する機能を、起動機能記憶部２３より検索し（ステップ２０３）、対応する機能が存在する場合（ステップ２０３／ＹＥＳ）、検索結果にもとづき対応する機能を各種機能２４より起動する（ステップ２０５）。制御部２２は、通知されたＩＤに対応して起動する機能がない場合（ステップ２０３／ＮＯ）、そのままステップ２０５の処理に進む。起動機能記憶部２３より検索し（ステップ２０３）、以降、携帯電話機２が起動中はステップ２０１から繰り返す。
【００４１】
以上より、ユーザは表面に表示された点字、絵、文字などで起動したい機能に対応した機能起動用カードを選択し、それを携帯電話のＩＤ読み取り部に近づけることにより、キー操作等の処理を行わないで携帯電話の機能を起動することが可能となる。
次に、具体例を用いて説明する。
【００４２】
携帯電話２に、[ＡＢＣＤ１２３４]というＩＤをもつ機能起動用カードと、対応して起動する機能として「ミュージックプレーヤーを起動する」を以下のように登録する。
【００４３】
まず、携帯電話２を起動機能設定モードにすると、制御部２２はＩＤ読み取り部２１をＩＣチップに付与されたＩＤの読み取り待ち状態とする。そこで、[ＡＢＣＤ１２３４]というユニークなＩＤをもつ機能起動用カード１をＩＤ読み取り部２１に近づけると、ＩＤ読み取り部２１は、制御部２１に読み取ったＩＤ[ＡＢＣＤ１２３４]を通知する。制御部２２は、起動機能設定部２５より、設定者に対して例えば図４のようなＧＵＩでＩＤに対応して起動する機能を問い合わせる。
【００４４】
図４において「４．ミュージックプレーヤー」が選択されると起動機能設定部２５は制御部２２に選択された内容を通知し、制御部２２は起動機能記憶部２３にＩＤ[ＡＢＣＤ１２３４]と対応して起動する機能「ミュージックプレーヤー」を紐付けて登録する（図５）。
【００４５】
機能起動用カード１の表面には、図６のように点字・文字・絵などでカードで起動できる携帯電話の機能を分りやすく表示する。
【００４６】
次に通常時の動作について説明する。
【００４７】
携帯電話２において、制御部２２はＩＤ読み取り部２１をＩＣチップに付与されたＩＤの読み取り待ち状態とする。ユーザは、起動したい機能に対応した機能起動用カード１を選び、携帯電話２のＩＤ読み取り部２１に近づける。例えば、ユーザが前述で設定した図６のカードを近づけると、制御部２２はＩＣチップに付与されたＩＤ[ＡＢＣＤ１２３４]を読み取り、制御部２２に通知する。
【００４８】
通知を受けた制御部２２は、ＩＤ[ＡＢＣＤ１２３４]に対応して起動する機能「ミュージックプレーヤーを起動する」を起動機能記憶部２３の登録内容（図５）から検索して、検索結果にもとづき各種機能２４よりミュージックプレーヤー機能を起動する。
【００４９】
以上説明したように、本発明においては、以下に記載するような効果を奏する。
【００５０】
第１の効果は、起動したい機能に対応した機能起動用カードを携帯電話にかざし、携帯電話がカードに内蔵されたＩＣチップに付与されたＩＤを読み出し、ＩＤに対応する機能を自動的に起動することにより、ユーザが面倒な操作なしで目的とする携帯電話の機能を起動できることである。
【００５１】
第２の効果は、携帯電話にカードのＩＤと対応して起動する機能を登録する手段を設けることにより、ユーザに応じて最適に、起動する機能を複数設定できることである。
【００５２】
（第２の実施形態）
次に、第２の実施形態について図面を参照して詳細に説明する。
【００５３】
本実施形態にかかる携帯電話システムの構成を図７を用いて説明する。
図７は、本実施形態にかかる携帯電話システムの構成を示すものであり、第１の実施形態にかかる携帯電話システムの構成との相違点は、図１の携帯電話機２において、起動機能登録部２５を機能利用履歴２６に置き換えたものである。
【００５４】
機能起動用カード１の表面には、点字、絵、文字などで起動する機能が分りやすく表現され、カードの内部にはユニークなＩＤが付与されたＩＣチップ１１が内蔵されている。
【００５５】
携帯電話２は、機能起動用カード内のＩＣチップに付与されたＩＤを、無線を利用して非接触で読み出すためのＩＤ読み取り部２１と、携帯電話の動作を制御するための制御部２２と、携帯電話を構成する電話、メールなどの各種機能２４と、機能起動用カード内のユニークなＩＤとそれに対応して起動する機能を記憶する起動機能記憶部２３と、ユーザがキー操作などで操作して起動した直前の機能を登録する機能利用履歴２６で構成される。
【００５６】
携帯電話２は、メーカー出荷時・購入時の窓口での設定、ユーザ操作などにより起動動作設定モードが選ばれると、制御部２２はＩＤ読み取り部２１よりＩＣチップのＩＤ読み取りを開始する。
【００５７】
ＩＤ読み取り部２１は、機能起動用カード１のＩＣチップ１１からＩＤを読み出すと、制御部２２にＩＤを通知する。
【００５８】
本実施形態にかかる携帯電話システムの処理を、図２、および、図７を使用して詳細に説明する。
【００５９】
図７において、機能利用履歴２６は、ユーザがキー操作などで操作して起動した、直前の機能が登録されている。本実施形態では、通常の動作については、図１を用いて説明した第１の実施形態と同様である。
【００６０】
起動機能を登録する動作も基本的には同じであるが、図２のステップ１０４の処理において起動する機能を選択する際、ＧＵＩなどで設定者に問い合わせを行うのではなく、機能利用履歴２６から直前の起動操作を選択して自動的に登録する。
【００６１】
これにより、１度キー操作などで起動した機能は、対応させたい機能起動用カードをかざすだけで、ユニークなＩＤと対応して起動する機能の設定が可能となり、設定手順が簡素化される。
【００６２】
本実施形態にかかる携帯電話機の処理について、図２、図７から９を使用して詳細に説明する。本実施形態の通常の動作については、第１の実施の態様と同じである。
【００６３】
ユーザが、キー操作などで「電話帳のＩＤ１番に電話発信」という機能を実行すると機能利用履歴２６に図８のように登録される。
【００６４】
直前に起動した機能と、機能起動用カード（ＩＣチップのＩＤ＝ＢＢＢＢ０００２）を紐付けたい場合、起動機能設定モードにして紐付けたいカードを携帯電話２のＩＤ読み取り部２１にかざし、ステップ１０３まで進める。
【００６５】
制御部２２は、ステップ１０３でＩＤ読み取り部２１からＩＤ［ＢＢＢＢ０００２］が通知されると機能利用履歴２６から直前の起動機能を検索し、「電話帳のＩＤ１番に電話発信」を得る。
【００６６】
最後に、制御部２２は起動機能記憶部２３に、ＩＤ［ＢＢＢＢ０００２］と対応して起動する機能［電話帳のＩＤ１番に電話発信」を紐付けて登録する（図９）。
【図面の簡単な説明】
【００６７】
【図１】第１の実施形態にかかる携帯電話機の構成の一例を示すブロック図である。
【図２】ユニークなＩＤの登録時の動作を示すフローチャート図である。
【図３】起動時の動作を示すフローチャート図である。
【図４】機能の選択を示す図である。
【図５】ＩＤと起動する機能とを紐付けし登録したものを示す図である。
【図６】ミュージックプレイヤーにかかるカードの起動の表示を示す図である。
【図７】第２の実施形態にかかる携帯電話機の構成の一例を示すブロック図である。
【図８】直線に起動した機能を示す図である。
【図９】ＩＤと起動する機能とを紐付けし登録したものを示す図である。
【符号の説明】
【００６８】
１    機能用カード
２    携帯電話
１１    ＩＣチップ
２１    ＩＤ読み取り部
２２    制御部
２３    起動機能記憶部
２４    各種機能
２５    起動機能登録部
２６    機能利用履歴
【図１】
2010057053.tif 000003
【図２】
2010057053.tif 000004
【図３】
2010057053.tif 000005
【図４】
2010057053.tif 000006
【図５】
2010057053.tif 000007
【図６】
2010057053.tif 000008
【図７】
2010057053.tif 000009
【図８】
2010057053.tif 000010
【図９】
2010057053.tif 000011